(57)【要約】【課題】入力映像信号の解像度よりも低い解像度の画像表示素子を備えた複数の表示装置を用いて高コントラストの画像を生成することが可能な表示装置を提供する。【解決手段】他の表示装置との組み合わせにより映像を表示することが可能な表示装置（１００）であって、外部機器から第一の解像度の入力映像信号を受信して、入力映像信号を付随信号と第一の映像信号と第二の映像信号とに分割する分割手段（１０）と、第一の解像度よりも低い第二の解像度の画像表示素子（９０）と、付随信号と第一の映像信号とに基づいて画像表示素子を制御する画像処理手段（５０）とを有し、分割手段は、他の表示装置に対して第二の映像信号を出力する。【選択図】図４
2018129745.tif 000002
【特許請求の範囲】
【請求項１】
他の表示装置との組み合わせにより映像を表示することが可能な表示装置であって、
外部機器から第一の解像度の入力映像信号を受信して、該入力映像信号を付随信号と第一の映像信号と第二の映像信号とに分割する分割手段と、
前記第一の解像度よりも低い第二の解像度の画像表示素子と、
前記付随信号と前記第一の映像信号とに基づいて前記画像表示素子を制御する画像処理手段と、を有し、
前記分割手段は、前記他の表示装置に対して前記第二の映像信号を出力する、ことを特徴とする表示装置。
【請求項２】
前記表示装置は、前記第二の解像度の画像表示素子を有する前記他の表示装置とともに前記映像を表示することにより、前記第一の解像度の映像を表示することが可能であることを特徴とする請求項１に記載の表示装置。
【請求項３】
前記分割手段は、前記第二の映像信号を含む複数の映像信号を複数の前記他の表示装置のそれぞれに対して出力する分配手段を有することを特徴とする請求項１または２に記載の表示装置。
【請求項４】
前記付随信号を前記他の表示装置へ送信するための通信手段を更に有することを特徴とする請求項１乃至３のいずれか１項に記載の表示装置。
【請求項５】
前記付随信号は、前記入力映像信号の輝度情報を含むことを特徴とする請求項１乃至４のいずれか１項に記載の表示装置。
【請求項６】
前記画像処理手段は、前記輝度情報に基づいてＨＤＲ処理を行うことを特徴とする請求項５に記載の表示装置。
【請求項７】
前記表示装置は投影装置であり、
前記画像表示素子から得られた前記第二の解像度の映像を投影する投影手段と、
投影モードを設定する設定手段と、を更に有し、
前記設定手段は、前記投影モードとして、単独投影モード、マルチ投影モード、または、スタック投影モードを設定することが可能であり、
前記分割手段は、
前記単独投影モードまたは前記スタック投影モードが設定された場合、前記外部機器から前記第二の解像度の前記入力映像信号を受信し、
前記マルチ投影モードが設定された場合、前記外部機器から前記第一の解像度の前記入力映像信号を受信する、ことを特徴とする請求項１乃至６のいずれか１項に記載の表示装置。
【請求項８】
ＥＤＩＤを記憶する記憶手段を更に有し、
前記記憶手段は、前記投影モードに応じて、前記ＥＤＩＤに含まれる前記入力映像信号の解像度に関する情報を前記外部機器へ出力することを特徴とする請求項７に記載の表示装置。
【請求項９】
第一の表示装置と第二の表示装置とを用いて映像を表示する表示システムであって、
前記第一の表示装置は、
外部機器から第一の解像度の入力映像信号を受信して、該入力映像信号を付随信号と第一の映像信号と第二の映像信号とに分割する分割手段と、
前記第一の解像度よりも低い第二の解像度の第一の画像表示素子と、
前記付随信号と前記第一の映像信号とに基づいて前記第一の画像表示素子を制御する第一の画像処理手段と、を有し、
前記分割手段は、前記第二の表示装置に対して前記第二の映像信号を出力し、
前記第二の表示装置は、
前記第二の解像度の第二の画像表示素子と、
前記付随信号と前記第二の映像信号とに基づいて前記第二の画像表示素子を制御する第二の画像処理手段と、を有し、
前記第一の表示装置および前記第二の表示装置は、それぞれ前記第一の画像表示素子および前記第二の画像表示素子に表示した映像により前記第一の解像度の映像を表示する、ことを特徴とする表示システム。
【請求項１０】
前記第一の表示装置は、第一の通信手段を有し、
前記第二の表示装置は、第二の通信手段を有し、
前記付随信号は、前記入力映像信号の輝度情報を含み、
前記輝度情報は、前記第一の通信手段と前記第二の通信手段との通信により、前記第一の表示装置から前記第二の表示装置へ送信され、
前記第一の画像処理手段は、前記輝度情報に基づいて前記第一の映像信号に関してＨＤＲ処理を行い、
前記第二の画像処理手段は、前記輝度情報に基づいて前記第二の映像信号に対して前記ＨＤＲ処理を行う、ことを特徴とする請求項９に記載の表示システム。
【請求項１１】
前記第一の映像および前記第二の映像はそれぞれ、前記表示システムにより表示される前記映像のうち互いに異なる部分映像であることを特徴とする請求項９または１０に記載の表示システム。
【請求項１２】
第一の投影装置と第二の投影装置とを用いて映像を投影する投影システムであって、
前記第一の投影装置は、
外部機器から第二の解像度の入力映像信号を受信して、該入力映像信号を付随信号と第三の映像信号と第四の映像信号とに分割する分割手段と、
第二の解像度の第一の画像表示素子と、
前記付随信号と前記第三の映像信号とに基づいて前記第一の画像表示素子を制御する第一の画像処理手段と、を有し、
前記分割手段は、前記第二の投影装置に対して前記第四の映像信号を出力し、
前記第二の投影装置は、
前記第二の解像度の第二の画像表示素子と、
前記付随信号と前記第四の映像信号とに基づいて前記第二の画像表示素子を制御する第二の画像処理手段と、を有し、
前記第一の投影装置および前記第二の投影装置は、それぞれ前記第一の画像表示素子および前記第二の画像表示素子に表示した映像により前記第二の解像度の映像を投影する、ことを特徴とする表示システム。
【請求項１３】
前記第一の画像表示素子および前記第二の画像表示素子に表示した前記映像はそれぞれ同一の映像であり、
前記第一の表示装置および前記第二の表示装置は、前記第一の画像表示素子および前記第二の画像表示素子に表示した前記映像を互いに重ねて投影することを特徴とする請求項１２に記載の投影システム。
【発明の詳細な説明】
【技術分野】
【０００１】
本発明は、入力映像信号の解像度よりも低い解像度の画像表示素子を備えた表示装置に関する。
【背景技術】
【０００２】
近年、表示装置の解像度は向上し、４Ｋ解像度（画素数＝３８４０＊２１６０または４０９６＊２１６０）の表示装置が市販され、また、更なる高解像度として８Ｋ解像度（８１９２＊４３２０）の表示装置の開発も進められている。一方、高画質技術として、画像の輝度レンジを拡大するＨＤＲ（Ｈｉｇｈ  Ｄｙｎａｍｉｃ  Ｒａｎｇｅ）が普及し始めている。また、４Ｋ解像度およびＨＤＲの両方に対応したＨＤＭＩ(登録商標)２．０ａ（Ｈｉｇｈ−Ｄｅｆｉｎｉｔｉｏｎ  Ｍｕｌｔｉｍｅｄｉａ  Ｉｎｔｅｒｆａｃｅ）や、更に高速伝送可能なＨＤＭＩ２．１やＤｉｓｐｌａｙＰｏｒｔ１．４が規格化されている。
【０００３】
特許文献１には、互いに異なる解像度の信号を入力することが可能な複数の入力端子を備えた映像処理装置が開示されている。特許文献２には、送信側機器により映像信号に輝度情報を含むメタデータが加えられ、受信側機器で映像信号とメタデータとを分離してメタデータから輝度情報を抽出してダイナミックレンジを拡大するためのＨＤＲ処理を行う画像処理装置が開示されている。
【０００４】
表示装置が４Ｋ解像度よりも低い解像度を有する場合、最大伝送レートは１０．２Ｇｂｐｓ以下であるため、表示装置の受信回路はＨＤＭＩ１．４（ＨＤＣＰ１．４）に対応していればよい。この場合、ＨＤＲ対応の映像信号は例えばＨＤＭＩ２．０ａ（ＨＤＣＰ２．２）であるため、ＨＤＣＰ２．２の認証が得られず、ＨＤＲ対応の映像信号を受信することができない。一方、ＨＤＭＩ２．０ａ（ＨＤＣＰ２．２）を受信可能に構成した場合、最大伝送レート１８Ｇｂｐｓに対応可能な受信回路が必要となる。このため、４Ｋ解像度よりも低い解像度の画像表示素子を備えた表示装置に対して不必要な回路が増加し、コストが上昇する。
【０００５】
ところで、表示装置がプロジェクタである場合、複数のプロジェクタを用いてマルチ投影を行うことが可能である。例えば、プロジェクタの解像度が４Ｋ解像度よりも低いＷＵＸＧＡ（１９２０＊１２００）の場合、４台のプロジェクタによるマルチ投影により、４つの投影映像を合わせて１つの４Ｋ解像度（３８４０＊２１６０）相当の映像を表示することができる。この場合、各プロジェクタがＨＤＲ対応の映像信号を受信することが可能であれば、よりダイナミックレンジの拡大、すなわち高コントラストの画像を投影することができる。
【先行技術文献】
【特許文献】
【０００６】
【特許文献１】特開２０１３−２１７９７２号公報
【特許文献２】特開２０１６−３４１２５号公報
【発明の概要】
【発明が解決しようとする課題】
【０００７】
しかしながら、特許文献１および特許文献２の構成では、入力映像信号の解像度よりも低い解像度の画像表示素子を備えた複数の投影装置を用いて高コントラストの投影画像を生成することができない。
【０００８】
そこで本発明は、入力映像信号の解像度よりも低い解像度の画像表示素子を備えた複数の表示装置を用いて高コントラストの画像を生成することが可能な表示装置、表示システム、および投影システムを提供することを目的とする。
【課題を解決するための手段】
【０００９】
本発明の一側面としての表示装置は、他の表示装置との組み合わせにより映像を表示することが可能な表示装置であって、外部機器から第一の解像度の入力映像信号を受信して、該入力映像信号を付随信号と第一の映像信号と第二の映像信号とに分割する分割手段と、前記第一の解像度よりも低い第二の解像度の画像表示素子と、前記付随信号と前記第一の映像信号とに基づいて前記画像表示素子を制御する画像処理手段とを有し、前記分割手段は、他の表示装置に対して前記第二の映像信号を出力する。
【００１０】
本発明の他の側面としての表示システムは、第一の表示装置と第二の表示装置とを用いて映像を表示する表示システムであって、前記第一の表示装置は、外部機器から第一の解像度の入力映像信号を受信して、該入力映像信号を付随信号と第一の映像信号と第二の映像信号とに分割する分割手段と、前記第一の解像度よりも低い第二の解像度の第一の画像表示素子と、前記付随信号と前記第一の映像信号とに基づいて前記第一の画像表示素子を制御する第一の画像処理手段とを有し、前記分割手段は、前記第二の表示装置に対して前記第二の映像信号を出力し、前記第二の表示装置は、前記第二の解像度の第二の画像表示素子と、前記付随信号と前記第二の映像信号とに基づいて前記第二の画像表示素子を制御する第二の画像処理手段とを有し、前記第一の表示装置および前記第二の表示装置は、それぞれ前記第一の画像表示素子および前記第二の画像表示素子に表示した映像により前記第一の解像度の映像を表示する。
【００１１】
本発明の他の側面としての投影システムは、第一の投影装置と第二の投影装置とを用いて映像を投影する投影システムであって、前記第一の投影装置は、外部機器から第二の解像度の入力映像信号を受信して、該入力映像信号を付随信号と第三の映像信号と第四の映像信号とに分割する分割手段と、第二の解像度の第一の画像表示素子と、前記付随信号と前記第三の映像信号とに基づいて前記第一の画像表示素子を制御する第一の画像処理手段とを有し、前記分割手段は、前記第二の投影装置に対して前記第四の映像信号を出力し、前記第二の投影装置は、前記第二の解像度の第二の画像表示素子と、前記付随信号と前記第四の映像信号とに基づいて前記第二の画像表示素子を制御する第二の画像処理手段とを有し、前記第一の投影装置および前記第二の投影装置は、それぞれ前記第一の画像表示素子および前記第二の画像表示素子に表示した映像により前記第二の解像度の映像を投影する。
【００１２】
本発明の他の目的及び特徴は、以下の実施形態において説明される。
【発明の効果】
【００１３】
本発明によれば、入力映像信号の解像度よりも低い解像度の画像表示素子を備えた複数の表示装置を用いて画像を生成することが可能な表示装置、表示システム、および投影システムを提供することができる。
【図面の簡単な説明】
【００１４】
【図１】本実施形態における投影装置（単独投影）のブロック図である。
【図２】本実施形態における投影装置の動作を示すフローチャートである。
【図３】本実施形態における変形例としての投影装置（単独投影）のブロック図である。
【図４】本実施形態における投影システム（マルチ投影）のブロック図である。
【図５】本実施形態における投影システム（マルチ投影）の概略図である。
【図６】本実施形態における投影システム（スタック投影）のブロック図である。
【図７】本実施形態における投影システム（スタック投影）の概略図である。
【発明を実施するための形態】
【００１５】
以下、本発明の実施形態について、図面を参照しながら詳細に説明する。
【００１６】
（単独投影モードでの投影装置）
まず、図１を参照して、本実施形態における表示装置（投影装置、プロジェクタ）の構成について説明する。図１は、投影装置１００のブロック図である。一般に、映像信号は、ソース機器１からシンク機器である投影装置１００に送信され、投影装置１００により映像信号が表示される。ソース機器１は、ＰＣ（Ｐｅｒｓｏｎａｌ  Ｃｏｍｐｕｔｅｒ）やＢｌｕ−ｒａｙ  Ｄｉｓｃ（ＢＤ）  Ｐｌａｙｅｒなどであるが、これらに限定されるものではない。
【００１７】
近年、より高い解像度を有する映像コンテンツが普及し始め、４Ｋ解像度（画素数＝３８４０＊２１６０または４０９６＊２１６０）の表示装置が市販されている。また、高画質技術として、画像の輝度レンジを拡大するＨＤＲ（Ｈｉｇｈ  Ｄｙｎａｍｉｃ  Ｒａｎｇｅ）が注目を集め、映像のコントラスト比の改善が期待されている。映像信号の規格として、ＡＶ（Ａｕｄｉｏ  Ｖｉｓｕａｌ）パソコンやＢＤプレーヤなどではＨＤＭＩ規格（Ｈｉｇｈ−Ｄｅｆｉｎｉｔｉｏｎ  Ｍｕｌｔｉｍｅｄｉａ  Ｉｎｔｅｒｆａｃｅ）、ビジネス用途ＰＣではＤｉｓｐｌａｙＰｏｒｔ規格が多く用いられる。
【００１８】
ソース機器１と投影装置１００とを接続するケーブル５は、高速差動信号ライン２と低速通信ライン３とを備えて構成される。またケーブル５は、電源ラインやホットプラグ検出ラインなどを含むが、ここでは説明を省略する。高速差動信号ライン２は、後述する映像信号をシンク機器（投影装置１００）に送信するための信号ラインである。一方、低速通信ライン３は、投影装置１００に内蔵されているＥＤＩＤ（Ｅｘｔｅｎｄｅｄ  Ｄｉｓｐｌａｙ  Ｉｄｅｎｔｉｆｉｃａｔｉｏｎ  Ｄａｔａ）２０との通信を行うための通信ラインである。
【００１９】
ここで、ＥＤＩＤとは、投影装置１００（シンク機器）に内蔵されているメモリ（記憶部）に書き込まれた１２８バイトのデータである。ＥＤＩＤには、例えば、シンク機器の製造メーカ、モデル、シリアル番号、製造時期、画像寸法、解像度、リフレッシュレート、表示器のガンマ特性、輝度情報などが書き込まれている。ソース機器１と投影装置１００とをケーブル５で接続すると、投影装置１００のメモリに格納されたＥＤＩＤ２０の情報が低速通信ライン３を介してソース機器１に送信される。ソース機器１は、ＥＤＩＤ２０の情報に基づいて、投影装置１００に対して最適なフォーマットで映像信号を送信する。なお、ＨＤＭＩおよびＤｉｓｐｌａｙＰｏｒｔはそれぞれ、ＥＤＩＤ２０を標準規格として採用している。
【００２０】
高速差動信号ライン２のデータ伝送レート規格は、年々向上しており、ＨＤＭＩでは、最大伝送レートが１０．２ＧｂｐｓのＨＤＭＩ１．４に対し、次の世代として、最大伝送レートが１８ＧｂｐｓのＨＤＭＩ２．０が規格化されている。また、ＨＤＭＩ２．０以降は、ＨＤＲ対応も規格化され、ＨＤＭＩ２．０にＨＤＲ対応が加えられたＨＤＭＩ２．０ａが規格化されている。更に現在策定中のＨＤＭＩ２．１では、ＨＤＭＩ２．０ａのＨＤＲが静的メタデータを基にしたものであるのに対し、動的メタデータの対応が検討され、映像ごとに最適なＨＤＲが可能となる。一方、ＤｉｓｐｌａｙＰｏｒｔに関しては、最大伝送レートが１７．２８ＧｂｐｓのＤｉｓｐｌａｙＰｏｒｔ１．２に対し、ＤｉｓｐｌａｙＰｏｒｔ１．４では、ＨＤＲとして動的メタデータに対応して映像ごとに最適なＨＤＲが可能である。
【００２１】
一般に、デジタル映像信号を伝送する際には、著作権保護のため、映像信号を暗号化する。ＨＤＭＩやＤｉｓｐｌａｙＰｏｒｔでは、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）により伝送する映像信号を暗号化し、映像の著作権を保護している。例えば、ＨＤＭＩのバージョンとＨＤＣＰのバージョンがあり、ＨＤＭＩ１．４には、ＨＤＣＰ１．４が対応し、ＨＤＭＩ２．０とＨＤＭＩ２．０ａには、ＨＤＣＰ２．２が対応している。ＨＤＣＰ１．４とＨＤＣＰ２．２では、暗号化技術が異なる。高解像度である４Ｋ解像度や高画質であるＨＤＲ対応が可能なＨＤＭＩ２．０やＨＤＭＩ２．０ａでは、ＨＤＣＰ２．２が採用されている。ＤｉｓｐｌａｙＰｏｒｔでも同様に、４Ｋ解像度のＤｉｓｐｌａｙＰｏｒｔ１．２ではＨＤＣＰ２．２が採用されているが、その前のバージョンであるＤｉｓｐｌａｙＰｏｒｔ１．１ではＨＤＣＰ１．３が採用されている。このため、ＨＤＣＰ２．２に対応していないＨＤＭＩ１．４やＤｉｓｐｌａｙＰｏｒｔ１．１のシンク機器は、ＨＤＣＰ２．２に対応したソース機器との暗号認証が得られず、映像信号を受信することができない。
【００２２】
本実施形態において、投影装置１００の表示解像度（画像表示素子の解像度）は、入力映像信号の４Ｋ解像度（画素数＝３８４０＊２１６０または４０９６＊２１６０）よりも低いＷＵＸＧＡ（画素数＝１９２０＊１２００）である。ただし投影装置１００の表示解像度は、これに限定されるものではない。投影装置１００の表示解像度は、ＷＵＸＧＡ＋（画素数＝１９２０＊１２８０）、ＦＨＤ（画素数＝１９２０＊１０８０）、または、ＦＨＤ＋（画素数＝１９２０＊１２８０）など、入力映像信号の解像度よりも低い他の解像度であってもよい。このように、投影装置１００（画像表示素子）は、入力映像信号の解像度（４Ｋ解像度）よりも略１／４だけ低い解像度を有する。
【００２３】
ＷＵＸＧＡなどの解像度を有する投影装置は、４Ｋ解像度の投影装置に比べて安価である。このため、４Ｋ解像度よりも低い解像度の投影装置でＨＤＲ対応の映像を投影できれば、ＨＤＭＩ１．４やＤｉｓｐｌａｙＰｏｒｔ１．１で受信した映像に比べて高コントラストでより高画質な映像を投影可能となり、ユーザにとって大きなメリットとなる。
【００２４】
分割器１０は、ソース機器１から出力された映像信号を受信する。分割器１０は、例えば、ＨＤＭＩ２．０ａおよびＨＤＣＰ２．２のそれぞれに対応している。このため分割器１０は、ソース機器１からの映像信号に対してＨＤＣＰ２．２による暗号解除を行い、映像信号を受信することができる。分割器１０に接続された映像信号ライン１４は、高速差動信号ラインである。レシーバ４０は、４Ｋ解像度よりも低いＷＵＸＧＡなどの解像度を有する映像信号（高速差動信号）の処理を行うことが可能である。レシーバ４０は、入力された高速差動信号を、画像処理部５０の入力インターフェース仕様に変換して画像処理部５０へ出力する。入力インターフェース仕様は、例えば３．３ＶのＬＶＴＴＬであり、レシーバ４０はその差動信号をシングルエンド信号に変換する。一般に、差動信号はパターンや終端抵抗により特性インピーダンスのマッチングを取り、ＧＨｚオーダの信号を伝送することが可能である。一方、シングルエンド信号は、ノイズに弱く本数が多いため、終端抵抗やインピーダンスのマッチングを取ることが難しく、１ライン当たりの伝送レートは差動信号に比べて劣る。
【００２５】
ここで、液晶ディスプレイの標準規格を策定しているＶＥＳＡ（Ｖｉｄｅｏ  Ｅｌｅｃｔｒｏｎｉｃｓ  Ｓｔａｎｄａｒｄ  Ａｓｓｏｃｉａｔｉｏｎ）規格におけるＷＵＸＧＡのフォーマット例を挙げる。画素数＝１９２０＊１２００、フレームレート＝６０Ｈｚ、ビット深度＝８ｂｉｔの映像信号は、ピクセルクロック＝１５４．００ＭＨｚと規定されている。例えば、レシーバ４０の画像処理部５０への出力ラインを８ｂｉｔとして、光の３原色であるＲＧＢ（ＲＥＤ、Ｇｒｅｅｎ、Ｂｌｕｅ）に対応した出力信号では、レシーバ４０のデータ伝送レートは、１５４ＭＨｚ＊８ｂｉｔ＊３＝３．６９６Ｇｂｐｓとなる。このためレシーバ４０は、最大伝送レートが１０．２ＧｂｐｓのＨＤＭＩ１．４とＨＤＣＰ１．４に対応していればよく、４Ｋ解像度に対応する必要はない。なお、この条件で単純に４倍の解像度としてレシーバのデータ伝送レートを計算すると、１４．７８４Ｇｂｐｓとなり、ＨＤＭＩ２．０またはＨＤＭＩ２．０ａとＨＤＣＰ２．２に対応可能なレシーバとする必要があり、比較的高価なレシーバが必要となる。
【００２６】
次に、図２を参照して、４Ｋ解像度よりも低いＷＵＸＧＡなどの解像度を有する投影装置１００を用いて単独投影を行う場合について説明する。図２は、本実施形態における投影装置１００の動作を示すフローチャートである。図２の各ステップは、主に制御部６０の指令に基づいて実行される。
【００２７】
まず、投影モード設定部７０は、投影装置１００の投影モードを設定する。本実施形態において、投影装置１００は、単独投影、マルチ投影、および、スタック投影を行うことが可能である。例えば投影装置１００の解像度が４Ｋ解像度よりも低いＷＵＸＧＡ（１９２０＊１２００）の場合、単独投影では、ＷＵＸＧＡ（１９２０＊１２００）相当の映像が投影される。複数の投影装置（例えば４台の投影装置）を用いたマルチ投影では、４台の投影画像を合わせて１つの４Ｋ解像度（３８４０＊２１６０）相当の映像が投影される。複数の投影装置を用いたスタック投影では、ＷＵＸＧＡ（１９２０＊１２００）相当の映像であって、複数の投影装置の合計輝度により、より明るい映像が投影される。この場合、投影画像の輝度が向上するため、ＨＤＲ対応する場合には、よりダイナミックレンジを拡大した画像、すなわち高コントラストの画像を投影することが可能となる。このため本実施形態において、投影モード設定部７０は、単独投影、マルチ投影、または、スタック投影のなかから、適切な投影モードを設定する。なお投影モード設定部７０は、入力信号や他の設定などに応じて適切な投影モードを自動的に設定するか、または、ユーザの指示に基づいて投影モードを設定する。
【００２８】
まず、ステップＳ１−１において、投影モード設定部７０は、単独投影モードを設定する。続いてステップＳ１−２において、ＥＤＩＤ２０の解像度として、４Ｋ解像度よりも低いＷＵＸＧＡなどの解像度（第二の解像度）が設定される。続いてステップＳ１−３において、制御部６０は投影準備を行う。このとき、前述のように、ソース機器１はＥＤＩＤ２０に設定されている情報を読み取り、投影装置１００に対して最適な映像信号のフォーマットを決定する。これにより、ソース機器１が４Ｋ解像度のＨＤＲ対応可能な映像を有する場合、ＥＤＩＤ２０に設定された解像度に従い、４Ｋ解像度をＷＵＸＧＡ解像度にスケールダウンし、ＨＤＲ対応可能な映像信号として分割器１０に送信する。
【００２９】
分割器１０は、受信した信号を映像信号（映像信号ライン１４）と付随信号すなわち付随情報（付随情報ライン１２）とに分離し、映像信号を映像信号ライン１４を介してレシーバ４０に出力し、付随情報を付随情報ライン１２を介して画像処理部５０に出力する。付随情報すなわちメタデータは、ＨＤＲ処理に必要な情報を含み、画像処理部５０で画像処理を行う際に用いられる。このように、ＨＤＲ処理に必要な情報は、分割器１０で取り出されて画像処理部５０に送信される。このためレシーバ４０は、ＨＤＲには関与せず、前述のように、ＷＵＸＧＡ解像度の映像信号である高速差動信号をシングルエンド信号に変換して画像処理部５０に出力するだけでよい。
【００３０】
ここで、ＨＤＲについて説明する。ＨＤＲは、輝度のダイナミックレンジを拡大する。従来のダイナミックレンジは、ＣＲＴを基準としたＲＥＣ．７０９の規格により、最大輝度が１００ｎｉｔｓ（＝ｃｄ／ｍ２）に定められていた。投影装置の輝度は、年々向上し、従来の基準となっていたＣＲＴの輝度を上回っている。このような高輝度の投影装置に対応してＨＤＲ処理を行うことにより、最大輝度の上限が拡大され、高輝度領域の画質が大幅に改善される。
【００３１】
一般に、投影装置は、入力映像信号に対して非線形なＥＯＴＦ（Ｅｌｅｃｔｒｏ−Ｏｐｔｉｃａｌ  Ｔｒａｎｓｆｅｒ  Ｆｕｎｃｔｉｏｎ：電気／光変換係数）特性を有し、この特性は前述のＥＤＩＤ２０にガンマ特性として書き込まれる。例えば、ソース機器１がＨＤＲに対応する映像信号を送信する場合、ソース機器１は、ＥＤＩＤ２０を介して投影装置１００のガンマ特性や輝度情報を読み込み、適切なＨＤＲ処理を施し、処理の内容を付随情報に書き込む。画像処理部５０は、付随情報に基づいて画像処理部５０にてソース機器１で施されたＨＤＲ処理に対して必要な処理を行い、処理後の信号を、投影装置１００の輝度に合わせたＨＤＲ対応の画像信号として光学部９０に出力する。
【００３２】
光学部９０は、不図示の光学部品であるミラー、プリズム、偏光板、種々のレンズ、および、４Ｋ解像度よりも低いＷＵＸＧＡ（画素数＝１９２０＊１２００）の解像度を有する画像表示素子（パネル）などを含む。画像表示素子は、透過型液晶パネル、反射型液晶パネル、または、ＤＬＰと呼ばれる反射型ミラーパネルのいずれであってもよい。画像表示素子の解像度は、４Ｋ解像度よりも低ければ、ＷＵＸＧＡ＋（画素数＝１９２０＊１２８０）、ＦＨＤ（画素数＝１９２０＊１０８０）、または、ＦＨＤ＋（画素数＝１９２０＊１２８０）などのいずれの解像度であってもよい。
【００３３】
光源部９２は、高圧水銀ランプ、ＬＥＤ、または、レーザなどの光源を含む発光部である。光学部９０は、光源部９２からの光と画像処理部５０からの信号とに基づいて、Ｒ（Ｒｅｄ）、Ｇ（Ｇｒｅｅ）、Ｂ（Ｂｌｕｅ）の画像を生成し、各色の画像を合成する。投影部９４（投影手段）は、投影レンズを有し、光学部９０から出力された画像を不図示のスクリーンなどに拡大投影する。
【００３４】
制御部６０は、投影装置１００の各部を制御する。すなわち制御部６０は、画像処理部５０、レシーバ４０、および、ＥＤＩＤ２０の各種パラメータ設定、投影装置１００の各種シーケンスおよび動作モードの設定などを行う。また制御部６０は、投影モード設定部７０を制御して、ユーザの操作に応じた投影モードを設定する。また制御部６０は、外部機器と通信を行う場合に通信部８０を制御して双方向の通信を行う。
【００３５】
このように投影装置１００は、４Ｋ解像度よりも低い解像度（例えばＷＵＸＧＡ）を有し、レシーバ４０や画像処理部５０もＷＵＸＧＡの解像度の信号処理が可能であればよい。投影モード設定部７０により単独投影モードが設定された場合、ＥＤＩＤ２０には４Ｋ解像度よりも低い解像度（例えばＷＵＸＧＡ）が設定され、ソース機器１からの映像信号はＷＵＸＧＡ解像度にスケールダウンされる。この信号を、例えば、ＨＤＭＩ２．０ａとＨＤＣＰ２．２に対応可能な分割器１０で受信し、ＨＤＣＰ２．２による暗号解除を行い、ＨＤＲに対応した映像信号を受信可能として映像信号と付随信号（付随情報）とに分離する。そして映像信号をレシーバ４０に入力し、付随情報を画像処理部５０に入力して画像処理部５０にてＨＤＲ処理を行う。
【００３６】
このような構成により、４Ｋ解像度よりも低い解像度の投影装置１００は、ＨＤＲ対応した映像を投影することができる。従って、画像表示素子の解像度が入力映像信号の解像度よりも低い場合にＨＤＲ処理を行って映像を投影することが可能となる。
【００３７】
（投影装置の変形例）
次に、図３を参照して、本実施形態における投影装置（プロジェクタ）の変形例について説明する。図３は、投影装置１００ｚのブロック図である。なお、図３において、投影装置１００と同じ動作を行う構成要素については同一の符号を付し、その説明を省略する。本変形例は、ソース機器１ｚおよびケーブル５ｚを含む点、および、投影装置１００ｚのＨＤＢａｓｅＴ規格に対応したＨＤＢＴレシーバ４０ｚが分割器１０の前段に配置されている点で、図１を参照して説明した実施形態とは異なる。
【００３８】
ＨＤＢａｓｅＴは、Ｔｈｅ  ＨＤＢａｓｅＴ  Ａｌｌｉａｎｃｅによって策定された通信規格であり、ＲＪ４５コネクタを有するＬＡＮケーブルによる８線式の通信を行う。ＨＤＢａｓｅＴは、Ｅｔｈｅｒｎｅｔ規格である１００ＢＡＳＥ−Ｔ、ＨＤＭＩ信号、音響信号、機器制御信号、および、電力の５種類の信号を合わせて独自のプロトコルで送受信し、複数の通信規格に対応可能である。また、ＨＤＭＩでは伝送可能なケーブル長が数メートル程度であるのに対し、ＨＤＢａｓｅＴでは１００メートルまで対応可能であり、高品質な映像信号を長距離伝送することができる。
【００３９】
ソース機器１ｚは、ＨＤＢａｓｅＴに対応した送信手段を有し、ＨＤＲ対応可能なＨＤＭＩにより映像信号を送信することができる。ソース機器１ｚは、例えばＨＤＭＩ２．０ａおよびＨＤＣＰ２．２に対応し、ＨＤＲ対応が可能な映像信号を送信することが可能である。ＨＤＢａｓｅＴに対応した送信手段は、前述の５種類の信号をサンプリングし、独自のプロトコルでデジタル信号に変調して送信する。信号伝送に使用されるケーブル５ｚは、ＨＤＢａｓｅＴ用のＬＡＮケーブルで、長さは最大１００ｍまで対応可能である。
【００４０】
投影装置１００ｚのＨＤＢＴレシーバ４０ｚは、ソース機器１ｚからのＨＤＢａｓｅＴ信号を受信し、前述の５種類の信号に復調する。ここでは、ＨＤＲ対応可能なＨＤＭＩ信号のみについて説明し、その他の信号については説明を省略する。ＨＤＢＴレシーバ４０ｚは、ＨＤＣＰの認証機能を有しないため、復調されたＨＤＭＩ信号は、このままでは使用することができない。そのため、ＨＤＢＴレシーバ４０ｚから出力されるＨＤＭＩ信号は、分割器１０に入力される。分割器１０は、図１を参照して説明した投影装置１００の分割器１０と同様に、ＨＤＭＩ２．０ａおよびＨＤＣＰ２．２のそれぞれに対応可能である。分割器１０は、ＨＤＣＰ２．２による暗号解除を行い、ＨＤＲに対応した映像信号を受信可能として映像信号と付随情報とに分離する。
【００４１】
投影装置１００ｚの解像度は、４Ｋ解像度よりも低い解像度（例えばＷＵＸＧＡ）であって、レシーバ４０ｚおよび画像処理部５０もＷＵＸＧＡの解像度の信号処理が可能であればよい。ＨＤＢＴレシーバ４０ｚは、ソース機器１ｚから映像信号を受信し、復調されたＨＤＭＩ信号を、例えばＨＤＭＩ２．０ａおよびＨＤＣＰ２．２に対応可能な分割器１０に送信する。分割器１０は、ＨＤＣＰ２．２による暗号解除を行い、ＨＤＲに対応した映像信号を受信可能として映像信号と付随信号（付随情報）とに分離する。
【００４２】
このような構成により、４Ｋ解像度よりも低い解像度の投影装置１００ｚは、ＨＤＲ対応した映像を投影することができる。従って、画像表示素子の解像度が入力映像信号の解像度よりも低い場合にＨＤＲ処理を行って映像を投影することが可能となる。
【００４３】
（マルチ投影モードでの投影システム）
次に、図４および図５を参照して、本実施形態における表示システムとしての投影システム４００（プロジェクタシステム）の構成について説明する。図４は、投影システム４００のブロック図である。図５は、投影システム４００の概略図であり、投影システム４００を用いてマルチ投影を行っている状態を示している。
【００４４】
投影システム４００は、投影装置１００ｘ、１００ａ、１００ｂ、１００ｃ（表示装置）を備えて構成され、これらの４つの投影装置を用いてマルチ投影を行う。ただし、マルチ投影を行うために用いられる投影装置の数は４つに限定されるものではなく、少なくとも２つの投影装置（第一の投影装置および第二の投影装置）を用いてマルチ投影を行うことができる。投影装置１００ｘ（第一の投影装置または第一の表示装置）は、分配器３０、３１を有する点で、投影装置１００とは異なる。このような構成において、ソース機器１から出力される映像信号は４Ｋ相当の解像度であり、各投影装置は４Ｋ解像度よりも低い解像度（例えばＷＵＸＧＡ）である。
【００４５】
ソース機器１は、ケーブル５を介して投影装置１００ｘに接続されている。投影装置１００ａ、１００ｂ、１００ｃ（第二の投影装置または第二の表示装置）はそれぞれ、ケーブル（高速差動信号ライン３２ａ、３２ｂ、３２ｃ）を介して、投影装置１００ｘに接続されている。投影装置１００ｘ、１００ａ、１００ｂ、１００ｃは、投影画像２００、２００ａ、２００ｂ、２００ｃを投影する。このように投影システム４００は、ソース機器１からの４Ｋ解像度の映像信号を、４台のＷＵＸＧＡ解像度の投影装置１００ｘ、１００ａ、１００ｂ、１００ｃを用いて投影することが可能である。
【００４６】
次に、図２を参照して投影装置１００ｘの動作を説明する。マルチ撮影モードによる投影を行う場合、まずステップＳ２−１において、投影装置１００ｘの投影モード設定部７０は、マルチ撮影モードを設定する。続いてステップＳ２−２において、投影装置１００ｘの制御部６０は、投影装置の確認を行う。すなわち制御部６０は、投影装置１００ｘに接続されている投影装置の数、解像度、輝度などを確認する。そしてステップＳ２−３において、制御部６０は、マルチ投影が可能か否かを判定する（マルチ投影判定）。すなわち制御部６０は、投影装置１００ｘの通信部８０を介して、投影装置１００ａ、１００ｂ、１００ｃが投影装置１００ｘに接続されているかを判定する。また制御部６０は、投影装置１００ａ、１００ｂ、１００ｃの解像度および輝度を確認する。
【００４７】
解像度がＷＵＸＧＡ相当の解像度であって、必要な輝度を有する投影装置が３台接続されている場合、ステップＳ２−５へ進む。ステップＳ２−５において、制御部６０は、ＥＤＩＤ２０の解像度を４Ｋ相当の解像度（第一の解像度）に設定する。
【００４８】
一方、ステップＳ２−３にてマルチ投影に必要な数の投影装置が投影装置１００ｘに接続されていない場合、または、投影装置１００ｘに接続されている各投影装置の解像度や輝度が適切でない場合、ステップＳ２−４へ進む。ステップＳ２−４において、制御部６０は、マルチ投影を行うことができない旨を伝えるエラーメッセージを表示部（不図示）に表示する。ここで、投影装置１００ａは通信部８０ａを有し、投影装置１００ｘの通信部８０と通信を行う。制御部６０は、通信部８０、８０ａを介して、前述の解像度や輝度などの情報を収集する。同様に、投影装置１００ｂ、１００ｃもそれぞれ通信部を有し、制御部６０はこれらの通信部を介して、各投影装置の解像度や輝度などの情報を収集する。なお通信部８０、８０ａは、無線または有線の通信手段のいずれでもよい。
【００４９】
ステップＳ２−６において、制御部６０は投影準備を行う。例えば、ソース機器１が投影装置１００ｘのＥＤＩＤ２０を確認し、投影装置１００ｘに対して最適な映像信号のフォーマットを決定する。ソース機器１が４Ｋ解像度のＨＤＲ対応可能な映像を有する場合、ＥＤＩＤ２０に設定された４Ｋ解像度のＨＤＲ対応可能な映像信号が分割器１０に送信される。
【００５０】
ここで図４に戻り、分割器１０および分配器３０、３１について説明する。投影装置１００ｘの分割器１０は、例えば、最大伝送レートが１８ＧｂｐｓのＨＤＲに対応したＨＤＭＩ２．０ａであり、ＨＤＣＰ２．２に対応しているものとする。分割器１０は、最大伝送レート１８Ｇｂｐｓの映像信号を、高速差動信号ラインである映像信号ライン１４、１６に分割する。分割器１０により分割された映像信号は、映像信号ライン１４、１６を介して、最大伝送レートがそれぞれ９Ｇｂｐｓである映像信号として、後段の分配器３０、３１に出力される。
【００５１】
分配器３０は、入力された最大伝送レート９Ｇｂｐｓの映像信号を高速差動信号ライン３２、３２ａに分配し、後段のレシーバ４０、４０ａに出力する。なお分配器３０は、分割器１０からの最大伝送レート９Ｇｂｐｓの映像信号を、そのままレシーバ４０、４０ａに出力することができる。または、分配器３０は、最大伝送レート９Ｇｂｐｓの映像信号を半分に分割して、それぞれ最大伝送レート４．５Ｇｂｐｓの映像信号として、レシーバ４０、４０ａに出力してもよい。レシーバ４０、４０ａは、入力された最大伝送レート９Ｇｂｐｓまたは４．５Ｇｂｐｓの映像信号に対し、必要なレベル変換を行って画像処理部５０、５０ａにそれぞれ出力する。分配器３１も分配器３０と同様に動作する。すなわち分配器３１は、入力された最大伝送レート９Ｇｂｐｓの映像信号を高速差動信号ライン３２ｂ、３２ｃに分配し、投影装置１００ｂ、１００ｃの各レシーバ（不図示）に出力される。なお投影装置１００ｘの制御部６０は、ステップＳ２−２において、各分配器からの高速差動信号ライン３２ａ、３２ｂ、３２ｃを介して各投影装置のＥＤＩＤ２０ａなどから解像度や輝度の情報を読み出してもよい。
【００５２】
画像処理部５０、５０ａは、最大伝送レート９Ｇｂｐｓの映像信号が入力された場合、それぞれ重複しない信号領域（一部重複は可）に対する画像処理を行う。この信号領域は、制御部６０により指定される。投影装置１００ａ、１００ｂ、１００ｃに対して信号領域を指定する場合、通信部８０を介して各投影装置に指示してもよい。また、最大伝送レート４．５Ｇｂｐｓの映像信号が入力された場合、画像処理部５０、５０ａは入力映像信号に基づいて画像処理を行う。
【００５３】
分割器１０は、ソース機器１からの受信信号を映像信号（映像信号ライン１４、１６）と付随情報（付随情報ライン１２）とに分離する。付随情報は、付随情報ライン１２を介して画像処理部５０に出力される。付随情報は、ＨＤＲ処理に必要な情報を含み、画像処理部５０による画像処理に用いられる。また付随情報は、画像処理部５０から制御部６０に送信され、通信部８０を介して投影装置１００ａ、１００ｂ、１００ｃのそれぞれに送信され、各投影装置の画像処理部でＨＤＲ処理を行う際に用いられる。
【００５４】
投影装置１００ｘ、１００ａ、１００ｂ、１００ｃの解像度は、４Ｋ解像度よりも低い解像度（例えばＷＵＸＧＡ）であって、レシーバ４０や画像処理部５０もＷＵＸＧＡの解像度の信号処理が可能であればよい。ここでは、投影モード設定部７０は投影モードをマルチ投影モードに設定し、ＥＤＩＤ２０には４Ｋ解像度が設定される。そしてソース機器１からの映像信号は、例えば、ＨＤＭＩ２．０ａおよびＨＤＣＰ２．２に対応可能な分割器１０で受信される。分割器１０は、ＨＤＣＰ２．２による暗号解除を行い、ＨＤＲに対応した映像信号を受信可能として２つの映像信号に分割し、付随情報を分離して取り出す。２つの映像信号の後段には分配器３０、３１が配置され、各レシーバ４０を介して各画像処理部５０に出力される。付随情報も画像処理部に入力され、画像処理部５０にてＨＤＲ処理を行うことにより、４Ｋ解像度よりも低い解像度の投影装置１００ｘにおいて、ＨＤＲ対応した映像を投影することが可能となる。また付随情報は、通信部８０を介して投影装置１００ａ、１００ｂ、１００ｃに送信される。そして投影装置１００ｘは、同様にＨＤＲ処理を行って映像を投影し、４台の投影装置のマルチ投影により４Ｋ解像度の映像を投影することが可能となる。
【００５５】
このように投影システム４００は、第一の投影装置（投影装置１００ｘ）と第二の投影装置（投影装置１００ａ（１００ｂ、１００ｃ））とを用いてマルチ投影を行うことが可能である。分割手段（分割器１０および分配器３０、３１）は、外部機器（ソース機器１ｚ）から第一の解像度の入力映像信号を受信して、入力映像信号を付随信号と第一の映像信号と第二の映像信号とに分割する。第一の画像表示素子（光学部９０）は、第一の解像度よりも低い第二の解像度を有する。第一の画像処理手段（画像処理部５０）は、付随信号と第一の映像信号とに基づいて第一の画像表示素子を制御する。分割手段は、第二の投影装置に対して第二の映像信号を出力する（すなわち、第一の投影装置とともにマルチ投影を行うための他の投影装置（第二の投影装置）に対して第二の映像信号を出力する）。第二の画像表示素子（光学部９０ａ）は、第二の解像度を有する。第二の画像処理手段（画像処理部５０ａ）は、付随信号と第二の映像信号とに基づいて第二の画像表示素子を制御する。第一の表示装置および第二の表示装置は、それぞれ第一の画像表示素子および第二の画像表示素子に表示した映像により第一の解像度の映像を表示（または投影）する。
【００５６】
好ましくは、第一の投影装置は第一の通信手段（付随情報を第二の投影装置へ送信するための通信部８０）を有し、第二の投影装置は第二の通信手段（通信部８０ａ）を有する。付随信号は、入力映像信号の輝度情報を含む。輝度情報は、第一の通信手段と第二の通信手段との通信により、第一の投影装置から第二の投影装置へ送信される。第一の画像処理手段は、輝度情報に基づいて第一の映像信号に関してＨＤＲ処理を行い、第二の画像処理手段は、輝度情報に基づいて第二の映像信号に対してＨＤＲ処理を行う。また好ましくは、第一の映像および第二の映像はそれぞれ、マルチ投影により投影される映像のうち互いに異なる部分映像である。
【００５７】
好ましくは、第一の投影装置は、第二の解像度の画像表示素子を有する他の投影装置（第二の投影装置）とともにマルチ投影を行うことにより、第一の解像度の映像を投影することが可能である。また好ましくは、分割手段は、第二の映像信号を含む複数の映像信号を複数の他の投影装置のそれぞれに対して出力する分配手段（分配器３０、３１）を有する。また好ましくは、第一の投影装置は、投影モードを設定する設定手段（投影モード設定部７０）を有する。設定手段は、投影モードとして、マルチ投影モードに加えて、単独投影モードやスタック投影モードを設定することが可能である。分割手段は、単独投影モードまたはスタック投影モードが設定された場合、外部機器から第二の解像度の入力映像信号を受信し、マルチ投影モードが設定された場合、外部機器から第一の解像度の入力映像信号を受信する。また好ましくは、第一の投影装置および第二の投影装置はそれぞれ、ＥＤＩＤを記憶する記憶手段（ＥＤＩＤ２０、２０ａ）を有する。記憶手段は、投影モードに応じて、ＥＤＩＤに含まれる入力映像信号の解像度に関する情報（第一の解像度または第二の解像度の設定に関する情報）を外部機器へ出力する。
【００５８】
本実施形態によれば、画像表示素子の解像度が入力映像信号の解像度より低い場合、複数の投影装置を用いてＨＤＲ処理を行い、マルチ投影を行うことにより入力映像信号と同等の解像度として映像を投影することが可能である。
【００５９】
（スタック投影モードでの投影システム）
次に、図６および図７を参照して、本実施形態における投影システム６００（プロジェクタシステム）の構成について説明する。図６は、投影システム６００のブロック図である。図７は、投影システム６００の概略図であり、投影システム６００を用いてスタック投影を行っている状態を示している。投影システム６００は、投影装置１００ｙ、１００ａ、１００ｂ、１００ｃを備えて構成され、これらの４つの投影装置を用いてスタック投影を行う。投影装置１００ｙは、分割器１０ｓおよび映像信号ライン１４ｓ、１６ｓが設けられている点で、投影装置１００ｘとは異なる。投影システム６００は、投影装置１００ｙ、１００ａ、１００ｂ、１００ｃを用いてスタック投影を行う。
【００６０】
ソース機器１は、ケーブル５を介して投影装置１００ｙに接続されている。投影装置１００ａ、１００ｂ、１００ｃはそれぞれ、ケーブル（高速差動信号ライン３２ａ、３２ｂ、３２ｃ）を介して、投影装置１００ｙに接続されている。図７に示されるように、投影装置１００ｙ、１００ａ、１００ｂ、１００ｃは、それぞれ同一の映像を投影し、４つの投影装置により投影された４つの画像が一つに重ねられる。従って、４つの投影装置１００ｙ、１００ａ、１００ｂ、１００ｃにより投影画像の輝度が向上し、ＨＤＲ処理により、より広いダイナミックレンジの映像を投影することが可能となる。この例では、４つの投影装置によるスタック投影の例を示しているが、投影装置の数は４つに限定されるものではなく、２つまたは３つの投影装置を用いてスタック投影を行うこともできる。
【００６１】
次に、図２を参照して投影装置１００ｙの動作を説明する。スタック撮影モードによる投影を行う場合、まずステップＳ３−１において、投影装置１００ｙの投影モード設定部７０は、スタック撮影モードを設定する。続いてステップＳ３−２において、投影装置１００ｙの制御部６０は、投影装置の確認を行う。すなわち制御部６０は、投影装置１００ｙに接続されている投影装置の数、解像度、輝度などを確認する。そしてステップＳ３−３において、制御部６０は、スタック投影が可能か否かを判定する（スタック投影判定）。すなわち制御部６０は、投影装置１００ｙの通信部８０を介して、投影装置１００ａ、１００ｂ、１００ｃが投影装置１００ｙに接続されているかを判定する。また制御部６０は、投影装置１００ａ、１００ｂ、１００ｃの解像度および輝度を確認する。
【００６２】
解像度がＷＵＸＧＡ相当の解像度であって、必要な輝度を有する投影装置が少なくとも１台以上接続されている場合、ステップＳ３−５へ進む。ステップＳ３−５において、制御部６０は、ＥＤＩＤ２０の解像度を、４Ｋ解像度よりも低いＷＵＸＧＡなどの解像度（第二の解像度）に設定する。また制御部６０は、接続されている各投影装置の輝度情報を収集し、スタック投影される際の合計輝度を算出し、その合計輝度をＥＤＩＤに書き込む。このような構成において、複数の投影装置を用いてスタック投影を行うことにより、投影画像の輝度が向上する。
【００６３】
一方、ステップＳ３−３にてスタック投影に必要な数の投影装置が投影装置１００ｙに接続されていない場合、または、投影装置１００ｙに接続されている各投影装置の解像度や輝度が適切でない場合、ステップＳ３−４へ進む。ステップＳ３−４において、制御部６０は、スタック投影を行うことができない旨を伝えるエラーメッセージを表示部（不図示）に表示する。
【００６４】
ステップＳ３−６において、制御部６０は投影準備を行う。例えば、ソース機器１が４Ｋ解像度のＨＤＲ対応可能な映像を有する場合、ソース機器１は投影装置１００ｙのＥＤＩＤ２０を確認し、投影装置１００ｙに対して最適な映像信号のフォーマットを決定する。また制御部６０は、投影画像の輝度を確認し、適切なＨＤＲ処理を行う。これにより、映像信号の４Ｋ解像度はＷＵＸＧＡ解像度にスケールダウンし、ＨＤＲ対応可能な映像信号として分割器１０ｓに送信される。分割器１０ｓは、受信信号を２つの映像信号に分割し、映像信号ライン１４ｓ、１６ｓを介して分配器３０、３１にそれぞれ出力する。また分割器１０ｓは、付随情報を取り出し、付随情報ライン１２を介して画像処理部５０に出力する。映像信号ライン１４ｓ、１６ｓを介してそれぞれ出力される２つの映像信号は同じ映像信号である。また、分配器３０、３１から高速差動信号ライン３２、３２ａ、３２ｂ、３２ｃを介して出力される映像信号もそれぞれ同じ映像信号である。
【００６５】
前述の投影装置１００ｘの場合と同様に、付随情報は、ＨＤＲ処理に必要な情報を含み、画像処理部５０で画像処理を行う際に用いられる。また付随情報は、画像処理部５０から制御部６０に送信され、通信部８０により投影装置１００ａ、１００ｂ、１００ｃのそれぞれに送信され、各投影装置の画像処理部でＨＤＲ処理を行う際に用いられる。
【００６６】
投影装置１００ｙ、１００ａ、１００ｂ、１００ｃの解像度は、４Ｋ解像度よりも低い解像度（例えばＷＵＸＧＡ）であって、レシーバ４０や画像処理部５０もＷＵＸＧＡの解像度の信号処理が可能であればよい。ここでは、投影モード設定部７０は投影モードをスタック投影モードに設定し、ＥＤＩＤ２０には４Ｋ解像度よりも低い解像度が設定される。そしてソース機器１からの映像信号を、例えば、ＨＤＭＩ２．０ａおよびＨＤＣＰ２．２に対応可能な分割器１０ｓで受信する。分割器１０ｓは、ＨＤＣＰ２．２による暗号解除を行い、ＨＤＲに対応した映像信号を受信可能として２つの映像信号に分割し、付随情報を分離して取り出す。２つの映像信号の後段には分配器３０、３１が配置され、各レシーバ４０を介して各画像処理部５０に出力される。付随情報も画像処理部５０に出力され、画像処理部５０がＨＤＲ処理を行うことにより、４Ｋ解像度よりも低い解像度の投影装置１００ｙにおいて、ＨＤＲ対応の映像を投影することが可能となる。また付随情報は、通信部８０を介して投影装置１００ａ、１００ｂ、１００ｃに送信される。そして投影装置１００ｙは、同様にＨＤＲ処理を行って映像を投影し、複数の投影装置のスタック投影により投影画像の輝度が向上し、より広いダイナミックレンジの映像を投影することが可能となる。
【００６７】
このように投影システム６００は、第一の投影装置（投影装置１００ｙ）と第二の投影装置（投影装置１００ａ（１００ｂ、１００ｃ））とを用いてスタック投影を行うことが可能である。分割手段（分割器１０ｓおよび分配器３０、３１）は、外部機器（ソース機器１）から第二の解像度の入力映像信号を受信して入力映像信号を付随信号と第三の映像信号と第四の映像信号とに分割する。そして分割手段は、第二の投影装置に対して第四の映像信号を出力する。第一の画像処理手段（画像処理部５０）は、付随信号と第三の映像信号とに基づいて第一の画像表示素子（光学部９０）を制御する。第二の画像処理手段（画像処理部５０ａ）は、付随信号と第四の映像信号とに基づいて第二の画像表示素子（光学部９０ａ）を制御する。第一の画像表示素子（光学部９０）および第二の画像表示素子（光学部９０ａ）は、それぞれ第二の解像度を有する。第一の投影装置および第二の投影装置は、それぞれ第一の画像表示素子および第二の画像表示素子に表示した映像により第二の解像度の映像を投影する。
第一の投影装置および第二の投影装置は、スタック投影を行うことにより第二の解像度の映像を投影する。スタック投影により投影された映像は、第三の映像および第四の映像のそれぞれの輝度よりも高い輝度を有する。好ましくは、第三の映像および第四の映像はそれぞれ同一の映像であり、第一の投影装置および前記第二の投影装置は、第三の映像と第四の映像とを重ねて投影する。
【００６８】
本実施形態によれば、入力映像信号の解像度よりも低い解像度の画像表示素子を備えた複数の表示装置を用いて高コントラストの画像を生成することが可能な表示装置、表示システム、および投影システムを提供することができる。
【００６９】
以上、本発明の好ましい実施形態について説明したが、本発明はこれらの実施形態に限定されず、その要旨の範囲内で種々の変形及び変更が可能である。
【００７０】
本実施形態では、表示装置および表示システムとして、投影装置および投影システムについて説明したが、これらに限定されるものではない。本実施形態は、他の表示装置との組み合わせにより映像を表示することが可能な表示装置（表示システム）であれば、直視型の液晶ディスプレイなどの他の表示装置（表示システム）にも適用可能である。
【符号の説明】
【００７１】
１０    分割器（分割手段）
５０    画像処理部（画像処理手段）
９０    光学部（画像表示素子）
９４    投影部（表示手段）
１００  投影装置
【図１】
2018129745.tif 000003
【図２】
2018129745.tif 000004
【図３】
2018129745.tif 000005
【図４】
2018129745.tif 000006
【図５】
2018129745.tif 000007
【図６】
2018129745.tif 000008
【図７】
2018129745.tif 000009